(57)【特許請求の範囲】
【請求項１】
容器口部に装着され、カバーキャップが開閉自在に取り付けられたキャップにおいて、キャップ本体は注出筒を有し、注出筒の周壁に注出口が設けられ、カバーキャップ内から垂設する嵌合筒が注出口を封止し、キャップ本体と摺動自在に取り付けられたシール部材は下方が開口する筒状で、下端から円周状に拡がる底面の周縁からシール壁が形成され、シール壁は、キャップ本体の頂壁から垂設する外筒と内筒の間に液密にアンダーカット嵌合してシール部材とキャップ本体との間の空間に内容物が流入することを防止し、シール部材を上方から下方に押すと、シール壁は外筒と内筒の間から離脱し、容器内の内容物がキャップ本体とシール部材との間の空間から注出口を経て、注出されることを特徴とするキャップ。
【請求項２】
カバーキャップの開閉に伴う、嵌合筒内面の注出口との封止部の少なくとも一部の移動軌跡上に、注出筒の端部が存在することを特徴とする請求項１記載の注出キャップ。
【発明の詳細な説明】
【０００１】
【発明の属する技術分野】
本発明は、使用直前に攪拌して注出することが好ましい、例えばソースやケチャップ、ドレッシング等の内容物を収納した容器の口部に取り付けられる注出キャップに関する。
【０００２】
【従来の技術】
従来の注出キャップ２３として、例えば図７に示すように、容器口部２４に取り付けられるキャップ本体２５は、後方にヒンジ部２６を介してカバーキャップ２７が開閉自在に取り付けられ、頂壁２８に引張片付中栓２９が切り取り可能に形成され、カバーキャップ２７内から垂設する嵌合筒３０は、キャップ本体２５の注出筒３１内面と液密に嵌合する注出キャップ２３が提供されている。
【０００３】
そして使用に当たっては、引張片付中栓２９を切り取り、カバーキャップ２７を開けて内容物を注出する。
【０００４】
【発明が解決しようとする課題】
使用直前に攪拌して注出することが好ましい、例えばソースやケチャップ、ドレッシングといった内容物を収納した容器口部２４に、上記構成の注出キャップ２３を装着した場合、図８乃至図９に示すように、容器を振って内容物を攪拌した後にカバーキャップ２７を開けて内容物を注出すると、攪拌した際にカバーキャップ２７内面に付着した内容物が垂れ落ち、キャップ本体２５等を汚してしまう。
【０００５】
【課題を解決するための手段】
本発明の注出キャップは上記課題を解決するために、容器口部に装着され、カバーキャップが開閉自在に取り付けられたキャップ本体において、キャップ本体は注出筒を有し、注出筒の周壁に注出口が設けられ、カバーキャップ内から垂設する嵌合筒が注出口を封止し、キャップ本体と摺動自在に取り付けられたシール部材は下方が開口する筒状で、下端から円周状に拡がる底面の周縁からシール壁が形成され、シール壁は、キャップ本体の頂壁から垂設する外筒と内筒の間に液密にアンダーカット嵌合してシール部材とキャップ本体との間の空間に内容物が流入することを防止し、シール部材を上方から下方に押すと、シール壁は外筒と内筒の間から離脱し、容器内の内容物がキャップ本体とシール部材との間の空間から注出口を経て、注出されることを特徴とする注出キャップが提供される。従って、容器を振って内容物を攪拌しても、内容物が注出口からキャップ本体外部に飛散することがなく、カバーキャップの内面にも付着することがない。
また、万が一、嵌合筒内面の注出口との封止部に内容物が付着していても、カバーキャップを開ける際に、注出筒の端部に拭き取られて注出口に滴り落ちるので、注出時にカバーキャップ４から内容物が垂れ落ちることはない。さらに、シール部材の開放後に容器を振って内容物を攪拌しても、内容物がキャップ本体外部に飛散することがなく、カバーキャップの内面にも付着することがない。
【０００６】
【実施例】
図１は本発明に関する注出キャップの実施例における断面拡大図、図２乃至図６は、上記実施例の使用状態を示す断面図である。
【０００７】
図１に示すように、容器口部１に装着されるキャップ本体２には、シール部材３が摺動自在に取り付けられ、開閉自在にカバーキャップ４が取り付けられる。
【０００８】
キャップ本体２後方には、ヒンジ部５を介して開閉自在にカバーキャップ４が一体成形される。
【０００９】
キャップ本体２の頂壁６からは外方から順に、第１外筒７、第１内筒８、第２外筒９、第２内筒１０が垂設しており、第２内筒１０内周から注出筒１１が立設する。キャップ本体２の頂壁６の外面側には、注出筒１１の外方に注出壁１２が形成される。
【００１０】
注出筒１１の周壁１３には複数の縦条の注出口１４が設けられる。
【００１１】
キャップ本体２の第１外筒７と第１内筒８の間に、容器口部１がアンダーカット嵌合することにより容器口部１にキャップ本体２が装着される。
【００１２】
カバーキャップ４内面から嵌合筒１５が垂設し、嵌合筒１５内面の封止部１６は注出筒１１上部、及びキャップ本体２の注出口１４近傍の頂壁６と液密に嵌合し、注出口１４を封止する。
【００１３】
シール部材３は下方が開口する筒状であり、下端から円周状に拡がる底面１７の周縁からシール壁１８が形成される。シール壁１８は、第２外筒９と第２内筒１０の間に液密にアンダーカット嵌合して、シール部材３とキャップ本体２の間の空間に内容物が流入することを防止する。従って、例えば使用前の輸送時に振動を受けても、カバーキャップ４内や容器外に内容物がこぼれることがない。シール部材３は、キャップ本体２において注出筒頂壁１９の開孔部２０と摺動自在に取り付けられる。
【００１４】
使用に当たっては、まず、図２に示すように、カバーキャップ４を開け、シール部材３を上方から下方に押すと、シール壁１８は第２外筒９と第２内筒１０の間から離脱してシール部材が開放し、更に下方に移動すると、図３に示すように、シール部材３上部の係止部２１が注出筒頂壁１９の開孔部２０内周と液密に係合する。
【００１５】
そして、再度カバーキャップ４を閉じると、図４に示すように、嵌合筒１５内面の封止部１６は注出筒１１上部、及びキャップ本体２の注出口１４近傍の頂壁６と液密に嵌合し、注出口１４を封止する。
【００１６】
従って、シール部材開放後に容器を振って内容物を攪拌しても、内容物がキャップ本体２の外部に飛散することがなく、カバーキャップの内面にも付着することがない。
【００１７】
次に、図５に示すように、カバーキャップ４を開ける動作に伴う嵌合筒１５の回動の際に、前記回動を妨げない程度に、嵌合筒１５内面の封止部１６が注出筒１１の端部２２に接触しながら回動する。従って、万が一、嵌合筒１５内面の封止部１６に内容物が付着していても、カバーキャップ４を開ける際、注出筒１１の端部２２に拭き取られて注出口１４に滴り落ちるので、注出時にカバーキャップ４から内容物が垂れ落ちることはない。
【００１８】
その後、図６に示すように、容器を傾けると、容器内の内容物はキャップ本体２とシール部材３との間の空間から注出口１４を経て、注出壁１２から注出される。この時、カバーキャップ４内面から内容物が垂れ落ち、キャップ本体２等を汚してしまうことがない。
【００１９】
【発明の効果】
嵌合筒がキャップ本体と液密に当接して注出口を封止するので、また、シール部材を開放しても、注出筒頂壁の開孔部はシール部材上部の係止部と液密に係合するので、容器を振って内容物を攪拌しても、カバーキャップ内面に内容物が付着せず、注出の際にキャップ本体等を汚すことがない。
【００２０】
また、万が一、嵌合筒内面の封止部に内容物が付着していても、カバーキャップを開ける際、注出筒の端部に拭き取られて注出口に滴り落ちるので、注出時にカバーキャップから内容物が垂れ落ちることはない。
【図面の簡単な説明】
【図１】本発明に関する注出キャップの実施例を示す断面拡大図。
【図２】本発明に関する注出キャップの実施例におけるシール部材開放前の状態を示す断面図。
【図３】本発明に関する注出キャップの実施例におけるシール部材開放状態を示す断面図。
【図４】本発明に関する注出キャップの実施例におけるカバーキャップ閉塞状態を示す断面部分拡大図。
【図５】本発明に関する注出キャップの実施例におけるカバーキャップ開放途中の状態を示す断面部分拡大図。
【図６】本発明に関する注出キャップの実施例における内容物注出状態を示す断面図。
【図７】従来の注出キャップを示す断面図。
【図８】従来の注出キャップにおける内容物攪拌後の状態を示す断面図。
【図９】従来の注出キャップの内容物注出状態を示す断面図。
【符号の説明】
１  容器口部
２  キャップ本体
３  シール部材
４  カバーキャップ
５  ヒンジ部
６  頂壁
７  第１外筒
８  第１内筒
９  第２外筒
１０  第２内筒
１１  注出筒
１２  注出壁
１３  周壁
１４  注出口
１５  嵌合筒
１６  封止部
１７  底面
１８  シール壁
１９  注出筒頂壁
２０  開孔部
２１  係止部
２２  端部
２３  注出キャップ
２４  容器口部
２５  キャップ本体
２６  ヒンジ部
２７  カバーキャップ
２８  頂壁
２９  引張片付中栓
３０  嵌合筒
３１  注出筒
【図１】
0004524814.tif 000002
【図２】
0004524814.tif 000003
【図３】
0004524814.tif 000004
【図４】
0004524814.tif 000005
【図５】
0004524814.tif 000006
【図６】
0004524814.tif 000007
【図７】
0004524814.tif 000008
【図８】
0004524814.tif 000009
【図９】
0004524814.tif 000010